(57)【特許請求の範囲】
【請求項１】
エレベータ綱車（２２）と作用するように係合するエレベータ昇降用平形ロープ（６８〜７２）を含むエレベータ装置用のエレベータロープガイド（１０）装置であって、
前記平形ロープと作用するように係合するために配置されたガイド本体（３４，３６）を備え、
前記ガイド本体は、間に前記平形ロープを収容するように間隔を置いて配置された一対の対向する概ね平面状の係合面（４０〜４６）を有し、この係合面は、前記平形ロープの側面に対応しているとともに、前記平形ロープの厚みを超える幅を有しており、前記綱車に対する前記平形ロープの位置合わせを与えることを特徴とするエレベータロープガイド装置。
【請求項２】
前記一対の係合面は、ガイドスロット（４８，５２）を形成するように実質的に互いに平行平面となるように前記ガイド本体上に配置された一対の側壁を備えることを特徴とする請求項１記載のガイド装置。
【請求項３】
前記ガイド本体は、実質的に平面状の面（３８）をさらに備え、この平面状の面は、それから実質的に直角に外側へ延びる前記側壁を有し、前記ガイドスロットは、前記平面状の面をさらに含むことを特徴とする請求項２記載のガイド装置。
【請求項４】
前記平面状の面および側壁は、固定されていることを特徴とする請求項３記載のガイド装置。
【請求項５】
前記ガイド本体は、概ね円筒状の面をさらに含み、この円筒状の面は、それから実質的に直角に外側へ延びる前記側壁を有し、前記ガイド本体は、前記綱車の回転軸に概ね平行な軸上に回転可能に取り付けられ、前記ガイドスロットは、前記円筒状の面をさらに含むことを特徴とする請求項２記載のガイド装置。
【請求項６】
前記エレベータ綱車に対して概ね接線方向に位置合わせされるように前記ガイド本体を取り付けるためのフレーム（１２，１４，２６〜３２）を、さらに含むことを特徴とする請求項１記載のガイド装置。
【請求項７】
前記ガイド本体は、前記綱車に対して調整可能に前記フレームに取り付けられることを特徴とする請求項６記載のガイド装置。
【請求項８】
前記フレームは、
綱車が回転するように取り付けられた綱車軸を含むエレベータ綱車マウントの両末端に近接して固定して取り付けられ、前記綱車軸に実質的に垂直に延びる一対のサイドブラケット（１２，１４）と、
前記綱車軸に実質的に平行に前記サイドブラケットの間に延びるクロスブラケット（２６，２８）と、を備え、前記クロスブラケットは、その両末端に隣接して各サイドブラケットに取り付けられ、さらに、前記クロスブラケットは、それに取り付けられる前記ガイド本体を有することを特徴とする請求項６記載のガイド装置。
【請求項９】
前記ガイドスロット内に前記平形ロープを囲い込むように前記ガイドスロット上に取り外し可能に取り付けられた押さえ板（５４）を、さらに備えることを特徴とする請求項２記載のガイド装置。
【請求項１０】
前記ガイドスロットは、その両端において、前記平面状の面上および前記側壁上にそれぞれ形成された面取りされた縁部（６４，６６）を含むことを特徴とする請求項３記載のガイド装置。
【請求項１１】
前記ガイド本体は、前記綱車が、前記平形ロープに作用するように係合するために実質的に一定の半径を有する概ね環状の面だけを必要とするように、前記綱車に対する前記平形ロープの位置合わせを与えることを特徴とする請求項１記載のガイド装置。
【請求項１２】
前記ガイドスロットは、前記平形ロープが作用するように係合する前記綱車上の溝の幅より狭いガイドスロット幅を有することを特徴とする請求項２記載のガイド装置。
【請求項１３】
前記ガイドスロットは、低摩擦材料から構成されることを特徴とする請求項２記載のガイド装置。
【請求項１４】
エレベータ昇降用平形ロープ（６８〜７２）と、
前記平形ロープに係合するエレベータかごと、
前記平形ロープと作用するように係合するエレベータ綱車（２２）と、
エレベータロープガイド（１０）装置と、
を備えるエレベータ装置であって、前記エレベータロープガイド装置は、前記平形ロープと作用するように係合するガイド本体（３４，３６）を含み、このガイド本体は、間に前記平形ロープを受け入れる一対の対向する概ね平面状の係合面（４０〜４６）を有し、この係合面は、前記平形ロープの側面に対応しているとともに、前記平形ロープの厚みを超える幅を有しており、前記綱車に対する前記平形ロープの位置合わせを与えることを特徴とするエレベータ装置。
【請求項１５】
前記一対の係合面は、ガイドスロット（４８〜５２）を形成するように実質的に互いに平行平面となるように前記ガイド本体上に配置された一対の側壁を備えることを特徴とする請求項１４記載のエレベータ装置。
【請求項１６】
前記ガイド本体は、実質的に平面状の面（３８）をさらに備え、この平面状の面は、それから実質的に直角に外側へ延びる前記側壁を有し、前記ガイドスロットは、前記平面状の面をさらに含むことを特徴とする請求項１５記載のエレベータ装置。
【請求項１７】
前記平面状の面および側壁は、固定されていることを特徴とする請求項１６記載のエレベータ装置。
【請求項１８】
前記ガイド本体は、概ね円筒状の面をさらに含み、この円筒状の面は、それから実質的に直角に外側へ延びる前記側壁を有し、前記ガイド本体は、前記綱車の回転軸に概ね平行な軸上に回転可能に取り付けられ、前記ガイドスロットは、前記円筒状の面をさらに含むことを特徴とする請求項１５記載のエレベータ装置。
【請求項１９】
前記エレベータ綱車に対して概ね接線方向に位置合わせされるように前記ガイド本体を取り付けるためのフレーム（１２，１４，２６〜３２）を、さらに含むことを特徴とする請求項１４記載のエレベータ装置。
【請求項２０】
前記ガイドスロット内に前記平形ロープを囲い込むように前記ガイドスロット上に取り外し可能に取り付けられた押さえ板（５４）を、さらに備えることを特徴とする請求項１５記載のエレベータ装置。
【請求項２１】
前記ガイドスロットは、その両端において、前記平面状の面上および前記側壁上にそれぞれ形成された面取りされた縁部（６４，６６）を含むことを特徴とする請求項１６記載のエレベータ装置。
【請求項２２】
前記ガイド本体は、前記綱車が、前記平形ロープに作用するように係合するために実質的に一定の半径を有する概ね環状の面だけを必要とするように、前記綱車に対する前記平形ロープの位置合わせを与えることを特徴とする請求項１４記載のエレベータ装置。
【請求項２３】
前記綱車は、前記平形ロープが作用するように係合する溝を含み、前記ガイドスロットは、前記綱車上の前記溝の幅より狭いガイドスロット幅を有することを特徴とする請求項１５記載のエレベータ装置。
【請求項２４】
前記ガイドスロットは、低摩擦材料から構成されることを特徴とする請求項１５記載のエレベータ装置。
【発明の詳細な説明】
【０００１】
【技術分野】
本発明は、エレベータ装置に関し、特に、可撓性平形エレベータロープのためのトラッキングを与えるベルトガイド装置に関する。
【０００２】
【背景技術】
可撓性平形エレベータロープは、高トラクションかつ低プロフィールなどの従来の丸形ロープに対するいくつかの利点があるので、特定のエレベータ装置に使用される。しかしながら、平形エレベータロープには、作動中のトラッキングが不十分となる傾向があるなど、特定の欠点がある。平形ロープが、適切に追従しない場合、位置合わせのずれたロープによって、乗客にとって不快な騒音が生じる。位置合わせのずれがひどいと、平形ロープの縁部は、損傷を受けやすく、早めに交換する必要がある。
【０００３】
【発明の開示】
本発明の目的は、ロープトラッキングを向上させ、位置合わせのずれを最小限に抑えるかあるいは防止する、エレベータ装置用の平形ロープガイド装置を提供することである。
【０００４】
本発明のさらなる目的は、エレベータ装置内の平形ロープの過剰な騒音を最小限に抑えるかあるいは解消する、ロープガイド装置を提供することである。
【０００５】
本発明のさらなる目的は、特定の昇降路およびエレベータ装置の構成に伴う綱車の位置合わせのずれおよびロープのねじれに対して、可撓性平形ロープを、より許容させる、エレベータ装置用のロープガイド装置を提供することである。
【０００６】
これらと他の目的は、ここに説明される本発明によって実現される。
【０００７】
本発明の一実施態様は、ロープトラッキング用のエレベータガイド装置に向けられる。本発明は、丸形ロープを含むさまざまな種類のエレベータロープとともに使用するために実施可能であるが、好ましい実施態様は、平形ロープについて説明される。さらに、本発明は、トラクション綱車または遊び車とともに使用可能であること、綱車に近接する位置において機械、つり合いおもり、かごなどに取り付け可能であること、に留意する必要がある。リニアガイダンス装置は、平形ロープが、回転する綱車の肩部に当たるのを防止し、それによって、ロープが、早期に劣化したり、あるいは、不快な騒音を発生するのを防止する。装置は、容易に調整、保守できるように、かごおよびつり合いおもり綱車に組み込まれる。
【０００８】
本発明によるエレベータロープガイド装置は、フレームマウントを用いて各ブロックが隣接するように配置された綱車溝と概ね位置合わせされた１つまたは複数の溝を有する、１つまたは複数のガイドブロック本体を含む。ガイドブロックは、綱車に入りそこから出ていく平形ベルトを位置合わせさせる。
【０００９】
第２の好ましい実施態様は、各ローラアッセンブリが、１つまたは複数の溝を有し、それぞれが、軸回りに回転するように取り付けられた回転可能なリング状部材によって形成される、１つまたは複数のガイドローラアッセンブリを、ガイドブロックの代わりに、使用することに向けられる。一組のフランジが、各ローラを分離させるのに使用可能であり、それによって、それぞれは、壁または肩部を形成する。
【００１０】
いずれかの実施態様を組み込むことで、本発明と組み合わせて綱車を使用することができ、この綱車には、綱車まわりにベルトを案内するようにフランジによって形成される溝または肩部の必要がないことに、留意する必要がある。このような装置の１つの利点は、通常そのようなフランジまたは肩部に伴うベルトまたはベルトジャケットの摩耗が、解消されることである。
【００１１】
【発明を実施するための最良の形態】
本発明によるエレベータロープガイド装置は、１つまたは複数のエレベータロープガイド装置を含み、その好ましい実施態様を以下に説明する。
【００１２】
図１を参照すると、本発明の第１の例示的な実施態様によるエレベータロープガイド装置（１０）が、一組のサイドブラケット（１２，１４）を備えるフレームを含み、これらのサイドブラケットは、ボルト（２０）または同様の手段によって、エレベータ綱車マウントのベースブラケット（１６，１８）に取り付けられるように適合されており、このエレベータ綱車マウントは、昇降路面などの面（２４）に対して綱車（２２）を保持する。ガイド装置（１０）のフレームは、一対のクロスブラケット（２６，２８）を含み、これらのクロスブラケットは、角部品（３０，３２）とともに、平行してサイドブラケット（１２，１４）に架け渡されている。各クロスブラケット（２６，２８）は、ガイドブロック（３４，３６）が、図１に示されるように、綱車（２２）の両側のそれぞれに概ね接線方向に位置合わせされるように、ガイドブロック（３４，３６）を保持するように適合される。
【００１３】
各ガイドブロック（３４，３６）は、背壁（３８）と２つの側壁（４０，４２）を含む。複数の溝壁（４４，４６）が、両側壁の間にそれらに概ね平行して設けられて、複数のガイドスロット（４８，５０，５２）を形成する。背壁（３８）、側壁（４０，４２）、溝壁（４４，４６）は、係合面を提供し、この係合面は、ガイドブロック（３４，３６）および綱車（２２）と作用するように係合する大きさに形成されたエレベータ平形ロープすなわちベルト（以下、図２において、最もよく示される）の位置合わせを与える。理想的には、ロープは、背壁（３８）との接触ができる限り小さくなるように、ガイドブロックに位置合わせされ、位置合わせ制御のために作用する大部分の力が、側壁（４０，４２）と溝壁（４４，４６）から働く。一般に、目的は、ロープの摩耗およびほころびを低減するために、ロープが、側壁および溝壁のみに接触することである。
【００１４】
各ガイドブロック（３４，３６）は、取り外し可能な正面壁（５４）を備えることができる。正面壁（５４）は、摩耗がないか検査するために壁（５４）の下にあるエレベータロープの観察ができるように、透明にすることができる。各ガイドブロック（３４，３６）は、クロスブラケット（２６，２８）に対するそれらに概ね平行する方向での位置調整が容易になされるように、角ブラケット（５６）および止めねじ（５８）を用いて、それぞれのクロスブラケット（２６，２８）に取り付けられる。クロスブラケット（２６，２８）に概ね垂直な方向での調整は、サイドブラケット（１２，１４）に角部品（３０，３２）を接続するスロット（６０）およびボルト（６２）によって容易になされる。
【００１５】
ガイドブロック（３４，３６）は、この例示的な実施態様において、複数のガイドスロット（４８，５０，５２）を有する１つのガイドブロックとして示されるが、当業者には、１つのガイドブロックにつき１つのガイドスロットだけとすることができることは、明らかであろう。あるいは、１つのガイド装置（１０）につき複数の独立したガイドブロック、あるいはこれらのどのような組み合わせも可能である。さらに、ガイドブロックは、ベルトの重要なパラメータと綱車に対するベルトの位置合わせの少なくとも一方を遠隔で監視するように、検出装置、例えば、ばね、ひずみ計、温度検出器などを備えることができる。また、制御装置が、ガイドブロック上で使用可能であり、例えば、ベルトの摩耗を最小限に抑えるように、ばねが、ベルトに作用される補正力を制御するのに使用可能であろう。
【００１６】
図２を参照すると、ガイドブロック（３６，３８）のそれぞれの特徴は、一方のガイドブロック（３６）について説明される。ガイドブロック（３６）は、クロスブラケット（２８）に対する取り付けおよび横方向の調整が容易になされるように、ガイドスロット（４８，５０，５２）のそれぞれの中に、横方向にくぼんだスロット（６４）を含む。この構成によって、保守のために都合よくかつ迅速に近づくことができる。
【００１７】
ガイドスロット（４８，５０，５２）の各端部において、ベルトの応力勾配を制限することで、（綱車の回転方向に応じて）ガイドスロット（４８，５０，５２）の中へまたはガイドスロットから平形ロープ（６８）が、より滑らかに案内されるように、縁部（６４，６６）が、面取りされるかまたは傾斜が付けてある。ガイドスロット（４８，５０，５２）は、騒音の発生、摩耗、早期のベルトの劣化を防止するように、平形ロープ（６８，７０，７２）より幅が広くかつ綱車上の溝よりは狭く形成される。
【００１８】
各ガイドブロックのガイドスロット（４８，５０，５２）および他の部分は、好ましい実施態様では、横方向ベルト復元力が、約１〜１５ポンドになり、ベルト摩耗速度が、非常に小さくなるような、十分な圧力−速度（ＰＶ）定格を備える低摩擦材料から形成することができる。ベルトが係合するガイドブロック面のための低摩擦材料、例えば、テフロン（Ｔｅｆｌｏｎ）（登録商標）、デルリン（Ｄｅｌｒｉｎ）（登録商標）、ナイロン（Ｎｙｌｏｎ）（登録商標）、超高分子量ポリエチレン（ＵＨＭＷＰ）などの選択は、ベルトそのものの材料に依存することになる。上述したようなこのような定格のためには、１００ｍｍ〜３５０ｍｍの長さを有するリニアガイドブロックとともに使用されるＤＥＬＲＩＮ（登録商標）１００ＡＦなどの材料が、使用可能である。約２１０ｍｍの長さを有するガイドブロックを用いた場合、ブロックと綱車との間隔を約２００ｍｍにとると、小さな補正力（通常、２０Ｎ以下）で、ベルト溝にベルトを、より容易に向かわせられることが、見出された。
【００１９】
ガイドブロック（３４，３５）が、綱車（２２）に、近くなればなるほど、綱車に対するベルトの位置合わせの制御は、より良好になるが、制御を行うには、より大きな力が必要となる。逆に、ガイドブロックが、遠くに位置すればするほど、制御を行うのに必要とされる力は、より小さくなるが、得られる位置合わせの制御は、より不満足なものとなる。最も適切には、ガイドブロックは、適切な位置合わせ制御を維持しながらベルトに作用させるガイダンス力を最小限に抑えるように、綱車から所定距離離される必要がある。
【００２０】
さらに、ガイド装置（１０）によるベルトの位置合わせの最適な制御によって、従来はベルトを所定位置に保持するのに使用される綱車上の溝またはフランジを、省くことができる。綱車は、ベルトに作用するように係合するために実質的に一定の半径を有する概ね環状の面を必要とするだけとなるであろうから、機械加工するのが、実質的に、より容易になるであろう。これによって、綱車の設計が、より簡単になるであろうし、費用も実質的に低減されるであろう。これは、トラクション綱車、すなわち、エレベータモータドライブシャフトに直接係合されるかまたはこのシャフトの構成部分となる綱車の場合、特にそうである。
【００２１】
上述した取り付けおよび調整の構成を用いることで、ガイドブロック（３６）は、それが取り付けられるクロスブラケット（２６，２８）の平面に平行および垂直な方向にばかりでなく、クロスブラケットの平面に垂直な軸回りの回転方向に、容易に調整することができる。実施において、本発明による１つまたは複数のガイド装置（１０）は、エレベータ装置の平形ロープを案内するように対応する綱車に隣接して取り付けられる。
【００２２】
図３、図４に例示された第２の好ましい実施態様において、本発明によるガイドローラ（１００）が、軸受アッセンブリ（１０２）と、回転可能に取り付けられたガイド本体（１０４）とを含む。ガイド本体（１０４）は、示されるように、中間フランジ（１０８）と端部フランジ（１１０）とによって形成された複数の別個の溝（１０６）を有することができる。あるいは、ガイド装置（１０）は、同じ軸に回転可能に取り付けられた複数の独立したガイド本体を含むことができる。示されるように、ロープまたは平形ベルト（１１２）が、各溝（１０６）内に受け入れ可能である。ベルト（１１２）が溝（１０６）から偶発的にずれるのを防止するために、随意に押さえ板（１１４）を備えることができる。図４に例示されるように、本発明による１つまたは複数のガイドローラ（１００）が、ベルト（１１２）が周りに配置される綱車（１１６）に隣接して配置可能である。ベルト（１１２）は、図３において説明したように、ガイドローラ（１００）に係合する。
【００２３】
各ガイドローラ（１００）の溝（１０６）および他の部分、特に、ロープまたはベルトに接触する部分は、ベルト摩耗速度が、非常に小さくなるような、十分な圧力−速度（ＰＶ）定格を備える低摩擦材料から形成することができる。第１の実施態様について上述したのと同様に、ガイドローラ（１００）は、綱車（１１６）に対して容易に調整されるように取り付けられる。
【００２４】
例示的な実施態様は、環状ガイド溝（１０６）または平面状ガイドスロット（４８，５０，５２）の側面および底面の部分として、ベルトの位置合わせを行う係合面を示しているが、他の構成も本発明の範囲内に含まれる。例えば、係合面は、ベルトのいずれかの側に配置された回転ディスク内の溝を含むことができる。あるいは、ベルトが、単一の案内係合面に乗ることができるように、ベルトそのものに、溝（チャネルまたはグルーブ）が切られることも可能である。
【００２５】
ここでは、好ましい実施態様について説明したが、ここに請求された発明の範囲を逸脱せずに、変形、変更をなし得ることが、理解される。
【図面の簡単な説明】
【図１】  本発明のロープガイド装置による装置の第１の好ましい実施態様の概略直交図。
【図２】  本発明のロープガイド装置による装置の第１の好ましい実施態様の概略部分直交図。
【図３】  本発明の第２の好ましい実施態様の概略部分正面断面図。
【図４】  本発明の第２の好ましい実施態様の概略部分側面断面図。
【図１】
0004827356.tif 000002
【図２】
0004827356.tif 000003
【図３】
0004827356.tif 000004
【図４】
0004827356.tif 000005